(57)【要約】【課題】ミルクカップ、ヨーグルトカップ、プリンカップ等の蓋を開封する際、蓋の一部を指でつまんで開閉するのが一般的であるが、つかむ面積が少なく力を入れにくく、また指が滑りやすく開封が困難である。特に高齢者はこのように細かい作業は苦手で開封にしばしば手間取ることが多い。本発明は高齢者であっても容易に蓋の開閉があけられる蓋を提案する。【解決手段】蓋の一部に指が入れることが可能な約２０ｍｍの穴を設けることにより、開閉に際してはこの穴に指を入れことが出来るので、指が滑らず開閉に必要な力が入れることが可能となり高齢者でも容易に蓋の開封が可能である。【選択図】図５
2006027639.tif 000002
【特許請求の範囲】
【請求項１】
各種容器の開口を塞ぐ蓋の一部であって、当該蓋の延長部分に、指を入れることの出来る穴を設けたことを特徴とする容器の蓋。
【請求項２】
請求項１に記載の容器の蓋において、
前記指を入れることができる穴の周辺が補強されていることを特徴とする容器の蓋。
【発明の詳細な説明】
【技術分野】
【０００１】
本発明は各種容器、例えばミルクカップ、ヨーグルトカップ、プリンカップ等の蓋の開封が容易な容器の蓋を提案する。
【背景技術】
【０００２】
各種容器、例えばミルクカップなどの開封は蓋の一部を指でつまんで剥離させるのが一般的である。しかしカップの蓋を開けようとしても指でつかむ面積が少なく開封に必要な力が入らなかったり、指が滑ったりして開封が困難な場合がある。ましてや高齢者にとってはこの様な細かい開封作業そのものが困難であったりして、カップの蓋の開封は容易では無い。
本発明はこれらの問題を解決すべく、高齢者でも容易に各種カップの蓋を開けることの出来る蓋の形状を提案する。
【特許文献１】特開平１０−２４９５５号
【発明の開示】
【発明が解決しようとする課題】
【０００３】
各種容器、例えばミルクカップ、ヨーグルトカップ、プリンカップなどは衛生上、カ
一部を指でつまんで蓋を剥離させる構造が一般的である。
しかし開封に際しては、現状は指でつまむ面積が極めて少なく開封に必要な力が入れにくく、またカップがしばしば濡れている場合が多く指でつかんでも滑ってしまい力が入らないことが多い。また容器そのものが小さいミルクカップなどでは細かい開封作業で視力が低下している高齢者にとっては開封が容易では無い。
【０００４】
高齢者社会が進む中で、現状の衛生を確保して、かつ誰でも、高齢者でも容易に開封できる蓋を発明すること要求される。
【課題を解決するための手段】
【０００５】
上記要求を達成する手段として、現状の蓋の一部を指でつまみ開封する方式を改め、蓋の一部であって、蓋の延長部分に、指を入れることの出来る約２０mmの穴を設け、開封に際してはその穴に指を入れて蓋を開封させる以下の方式を提案する。
（構成１）
各種容器の開口を塞ぐ蓋の一部であって、当該蓋の延長部分に、指を入れることの出来る穴を設けたことを特徴とする容器の蓋。
（構成２）
請求項１に記載の容器の蓋において、
前記指を入れることができる穴の周辺が補強されていることを特徴とする容器の蓋。
【発明を実施するための最良の形態】
【０００６】
以下に現状の詳細を述べる。
図１は現況の容器の例としてミルクカップの構造を示す。
１は容器の蓋を示す。この蓋の材質はプラスチックフイルムや樹脂コートされたアルミ箔が一般的である。厚みは一般的には０．１ｍｍ前後である。
1Ａは蓋の一部を折り曲げる位置を示す。２は容器のカップ本体を示す。本体の大きさは色々あるがミルクカップでは直径約２０ｍｍほどである。
図２は前記図１で示したミルクカップを開けようとしている現状の状態を示す。
３は指を示し、１Ａのところで蓋１を折り曲げその先端部を指でつまんで、開封しようとしている状態である。
つかむ面積は長さ約７ｍｍで幅は約１０ｍｍ程度である。この面積ではつかみ難く、確実に接合されている蓋を開封するには少なすぎる。濡れている場合は特に力が入れにくく、開封した瞬間に容器の中身が飛び出ることもある。
特に高齢者は力が入れにくく、見にくく、細かい作業のため開封は困難である場合が多い。
【０００７】
次に本発明による開封容易な蓋の実施例を示す。
図３は本発明による実施例１の平面図である。４は蓋を示す。５は４の蓋の一部に指を入れることが出来る約２０ｍｍの穴を示す。厚みは０．１ｍｍのプラスチックシートであるが特に限定する必要は無い。容器の大きさ内容物によって決めればよい。
この図３はミルクカップのように容器本体の直径が小さい場合の形状例である。
【０００８】
図４はヨーグルトカップなどのように容器本体の直径が５ｃｍ程度の場合に使用する形状例を示す。６は蓋を示す。７は６の蓋の一部に指を入れることが出来る約２０ｍｍの穴を示す。７Ａは穴７を補強する為の物であり、穴７を開けた際に生じる材料を折り返した物である。厚みは０．１ｍｍで材質はプラスチックシートであるが特に限定する必要は無い。容器の大きさ、内容物によって決めればよい。
【０００９】
本発明による蓋を使用したカップの開封状態を示す。
図５は図３で示した実施例１をミルクカップの蓋に使用し、開封しようとしている状態を示す。
８はミルクカップ本体を示す。４は図３で示した実施例１の蓋である。５はその蓋に空けられた穴を示す。この穴には蓋を開封しようとして指を入れた状態を示す。この図の様ように蓋を開けるに際して指を穴５に指を入れることにより、剥離すべく方向に剥離すべく力を入れられるので確実に最小の力で蓋が開けることが可能である。
当然、穴に指を入れるので細かい作業は必要なく、誰でも、高齢者でも容易に蓋が空けられる。
又図６は図４で示した実施例２をヨーグルトカップの蓋に使用し、開封しようとして
いる状態を示す。
９はヨーグルトカップ本体を示す。６は図４で示した実施例２の蓋である。７は蓋に
空けあけられた穴を示す。開封に際しては図４と同様に７の穴に指を入れて６の蓋を
剥離させる。
なお、上記の蓋は容器の開口に、剥離して剥がすことを前提に接着等の手段により一体化されたものに適する。また材質は紙やプラスチックのように、缶切り等でこじ開けることができない柔軟な材質のものに適する。指を入れる孔は蓋と連続した負荷の延長部分に設けられていることが強度上も、制作コスト上も最も適する。
【図面の簡単な説明】
【００１０】
【図１】現状のミルクカップの構造例
【図２】現状のミルクカップの蓋の開封状態
【図３】本発明の蓋の実施例１の形状
【図４】本発明の蓋の実施例２の形状
【図５】本発明の蓋の実施例１をミルクカップの蓋に使用して開封しようとしている状態
【図６】本発明の蓋の実施例２をヨーグルトカップの蓋に使用して開封しようとしている状態
【符号の説明】
【００１１】
１    現状の蓋
１Ａ  現状の蓋の一部を折り曲げる位置
２    ミルクカップ本体
３    現状の蓋１を開けようとしている指
４    本発明による実施例１の蓋
５    本発明による実施例１の蓋の一部に空けた穴
６    本発明による実施例２の蓋
７    本発明による実施例２の蓋の一部に開けた穴
７Ａ  本発明による実施例２の蓋の一部に開けた穴の補強
８    本発明による実施例１を使用したミルクカップ本体
９    本発明による実施例２を使用したヨーグルトカップ本体
【図１】
2006027639.tif 000003
【図２】
2006027639.tif 000004
【図３】
2006027639.tif 000005
【図４】
2006027639.tif 000006
【図５】
2006027639.tif 000007
【図６】
2006027639.tif 000008